(57)【要約】      （修正有）【課題】無線送受信部の運用状態を保ちながら異常監視が可能で、かつ現用が故障したときに信頼性の高い予備用に切り替え可能にする。【解決手段】無線送受信部２に、現用または予備用として切り替え使用可能な複数の送受信部４ａ〜４ｎと、これらの送受信部４ａ〜４ｎを選択的に切り替え接続する送受信部切替手段５とを設け、各送受信部４ａ〜４ｎの異常監視を行うためのテスト信号生成部７からのテスト信号を各送受信部４ａ〜４ｎに選択的に与えるよう切り替え可能な信号切替手段８と、テスト信号生成部７からのテスト信号を与えるときにテスト伝送路を形成するように現用の送受信部４ａを制御する送受信部制御部９と、テスト信号を用いて各送受信部４ａ〜４ｎの異常監視をそれぞれ行う異常監視部１０と、異常監視の結果に基づいて送受信部切替手段５を切り替えて健全なものを現用とするように制御するメンテナンス制御部１１とを設けた。【選択図】図１
2012114552.tif 000002
【特許請求の範囲】
【請求項１】
アンテナに接続した無線送受信部を備えた無線システムにおいて、前記無線送受信部に、現用または予備用として切り替え使用可能な複数の送受信部と、該送受信部を選択的に切り替え接続する送受信部切替手段とを設け、予備用の前記各送受信部の異常監視を行うためのテスト信号を生成するテスト信号生成部と、該テスト信号生成部からのテスト信号を予備用の前記各送受信部に選択的に与えるよう切り替え可能な信号切替手段と、テスト信号を用いて予備用の前記各送受信部の異常監視をそれぞれ行う異常監視部と、この異常監視部による異常監視タイミングを制御すると共に、異常監視の結果に基づいて前記送受信部切替手段を切り替えて前記各送受信部の現用および予備用を制御するメンテナンス制御部とを設けたことを特徴とする無線システム。
【発明の詳細な説明】
【技術分野】
【０００１】
本発明は、基地局装置や移動端末内の送受信部における異常監視を行う無線システムに関する。
【背景技術】
【０００２】
従来の無線システムにおける基地局装置や移動端末内の無線送受信部では、この無線送受信部の受信レベルを検出し、この受信レベルを制御前レベルと比較して異常を監視する異常監視部を設けたものが知られている。また、この種の無線システムにおいて、現用基地局が故障した際、全ての予備系基地局に接続を切替えることなく、故障した現用基地局のみを予備系基地局に切替えるようにするために、現用基地局が故障したとき切替回路のエラー検出部に自基地局が故障したことを示す信号を送信し、エラー検出部では、現用基地局に対応する切替スイッチをＯＦＦにし、予備系基地局への切替スイッチをＯＮにすることで、予備系基地局との接続を行い、さらにエラー検出部では、切替回路の切替スイッチを現用基地局側から予備系基地局側にし、中継増幅器と予備系基地局の接続切替を行うように構成して、故障時の信頼性低下を防止した構成が知られている（例えば、特許文献１を参照）。
【先行技術文献】
【特許文献】
【０００３】
【特許文献１】特開２００１−１０２９６９号公報
【発明の概要】
【発明が解決しようとする課題】
【０００４】
しかしながら、上述のような従来の無線システムでは、送受信部の故障発生を検出したときに装置全体を一時的停止する必要があったり、予備系を備えて現用基地局が故障した際に予備系を切替接続しても、この予備系に故障が発生していた場合、やはり装置全体を一時的に停止する必要があり、信頼性の向上には限界があった。
【０００５】
本発明の目的は、無線送受信部の運用状態を保ちながら異常監視が可能で、かつ現用が故障したときに信頼性の高い予備用に切り替えることができるようにした無線システムを提供することにある。
【課題を解決するための手段】
【０００６】
本発明は上記目的を達成するために、アンテナに接続した無線送受信部を備えた無線システムにおいて、前記無線送受信部に、現用または予備用として切り替え使用可能な複数の送受信部と、該送受信部を選択的に切り替え接続する送受信部切替手段とを設け、予備用の前記各送受信部の異常監視を行うためのテスト信号を生成するテスト信号生成部と、該テスト信号生成部からのテスト信号を予備用の前記各送受信部に選択的に与えるよう切り替え可能な信号切替手段と、テスト信号を用いて予備用の前記各送受信部の異常監視をそれぞれ行う異常監視部と、この異常監視部による異常監視タイミングを制御すると共に、異常監視の結果に基づいて前記送受信部切替手段を切り替えて前記各送受信部の現用および予備用を制御するメンテナンス制御部とを設けたことを特徴とする。
【発明の効果】
【０００７】
本発明の無線システムによれば、予備用として設けた送受信部は、定常の使用状態における所定のタイミングで異常監視を予め行うことができるようになり、現用の送受信部の故障発生時には予め健全であると判定した予備用の送受信部に切り替えることができるので、高い信頼性を維持しながら本装置を継続的に使用することができるようになる。
【図面の簡単な説明】
【０００８】
【図１】本発明の一実施の形態による無線システムにおける基地局装置または移動端末装置の要部を示すブロック構成図である。
【図２】図１に示した無線システムにおける異常監視処理を示すフローチャートである。
【発明を実施するための形態】
【０００９】
以下、本発明の実施の形態を図面に基づいて説明する。
【実施例１】
【００１０】
図１は、本発明の一実施の形態による無線システムにおける基地局装置または移動端末装置の要部を示すブロック構成図である。
本装置は、アンテナ１と、このアンテナ１に接続された無線送受信部２と、無線送受信部２にベースバンド信号を与えるベースバンド処理部３とを有した通常の主たる構成の他に、新たな構成を付加している。つまり、無線送受信部２内には、現用または予備用として切り替え使用可能な複数の送受信部４ａ〜４ｎと、切り替え信号を受けてアンテナ１と送受信部４ａ〜４ｎを選択的に切り替え接続する送受信部切替手段５とを設け、またベースバンド処理部３には、ベースバンド信号を生成して現用の送受信部に与えるデータ処理部６の他に、異常監視を行うためのテスト用ＰＮ（Ｐｓｅｕｄｏ  Ｎｏｉｓｅ）信号等のテスト信号を生成するテスト信号生成部７と、このテストデータ生成部７からのテスト信号を任意の送受信部４ａ〜４ｎに与えるように切り替え接続可能な信号切替手段８とを設けている。テスト信号生成部７はベースバンド処理部３内に構成したが、この構成に限定するものではない。
【００１１】
さらに、ベースバンド処理部３から無線送受信部２内の特定の送受信部４ａ〜４ｎに対して異常監視のためのテスト信号を与えるときにテスト伝送路を形成するようにその送受信部４ａ〜４ｎを制御する送受信部制御部９と、テスト信号を用いてＢＥＲ（Ｂｉｔ  Ｅｒｒｏｒ  Ｒａｔｅ）測定等を行って無線送受信部２内の各送受信部４ａ〜４ｎの異常監視を行う異常監視部１０と、この異常監視部１０による異常監視を実施するタイミングや頻度などを制御すると共に、異常監視の結果に基づいて送受信部４ａ〜４ｎの現用および予備用を切り替えるメンテナンス制御部１１とを設けている。
【００１２】
通常の運用では、送受信部切替手段５はアンテナ１と現用の送受信部４ａとを接続し、信号切替手段８は現用の送受信部４ａとデータ処理部６とを接続し、ベースバンド処理部３のデータ処理部６から生成されたベースバンド信号を無線送受信部２における現用の送受信部４ａに与え、送信無線周波数信号に変換した後、アンテナ１を介して無線送信しているものとして説明する。
【００１３】
この通常の運用と並行して、異常監視部１０およびメンテナンス制御部１１は予備用の送受信部４ｂ〜４ｎの異常監視を行う。この異常監視処理を図２に示したフローチャートを用いて説明する。
【００１４】
異常監視を実施するタイミングはメンテナンス制御部１１によって管理され、ステップＳ１で予め設定した所定のタイミングになったことを検出すると、メンテナンス制御部１１は、ステップＳ３で異常監視対象が予備用か現用かを判定し、この場合は予備用であるからステップＳ４に進み、信号切替手段８に監視開始信号となる切り替え信号を与える。この切り替え信号を受けた信号切替手段８は、無線送受信部２の予備用の送受信部４ｂ〜４ｎの一つ、例えば送受信部４ｂとテスト信号生成部７を接続する。その後、ステップＳ５でテスト信号生成部７で生成したテスト信号をその送受信部４ｂに送信する。
【００１５】
このテスト信号の送信時に、異常監視部１０はステップＳ６でその送受信部４ｂの内部で折り返される信号のＢＥＲ測定を行う。異常監視部１０は、このＢＥＲ測定後のステップＳ７で異常判定を行う。例えば、異常監視部１０は予め設定した閾値と測定したＢＥＲ値を比較し、その結果、閾値を下回ったり、あるいは、テスト信号に対するＥｒｒｏｒ頻度が高い場合、異常監視を行った送受信部４ｂの異常と断定し、その他の場合は正常と判定して、この判定結果をメンテナンス制御部１１に通知する。
【００１６】
メンテナンス制御部１１では、送受信部４ｂが故障であった場合、ステップＳ８で異常監視した送受信部４ｂが現用として接続されないように切替監視対象から外し、一方、送受信部４ｂが正常であった場合、送受信部４ｂが現用に変更して接続可能なものとして管理する。
【００１７】
その後、メンテナンス制御部１１は、ステップＳ２で全ての予備用の送受信部４ｂ〜４ｎに対して異常監視を実施したかどうかを判定し、まだ完了していない場合は、次の予備用の送受信部に対してステップＳ３から同様の処理を繰り返す。各送受信部４ｂ〜４ｎの異常監視結果はメンテナンス制御部１１に送信され、万一、現用の送受信部４ａの故障発生時に、送受信部４ａに代えて健全な予備用の送受信部４ｂ〜４ｎのうちの一つを使用するものとして管理される。ステップＳで全ての予備用の送受信部４ｂ〜４ｎに対して異常監視を実施したと判定されたときは監視処理を終了する。
【００１８】
この説明から分かるように本無線システムは、無線送受信部２に、現用または予備用として切り替え使用可能な複数の送受信部４ａ〜４ｎと、これらの送受信部４ａ〜４ｎを選択的に切り替え接続する送受信部切替手段５とを設け、少なくとも予備用の複数の送受信部４ｂ〜４ｎの異常監視を行うためのテスト信号を生成するテスト信号生成部７と、このテスト信号生成部７からのテスト信号を予備用の各送受信部４ｂ〜４ｎに選択的に与えるよう切り替え可能な信号切替手段８と、テスト信号を用いて予備用の各送受信部４ｂ〜４ｎの異常監視をそれぞれ行う異常監視部１０と、この異常監視部１０による異常監視タイミングを制御すると共に、異常監視の結果に基づいて送受信部切替手段５を切り替えて予備用の各送受信部４ｂ〜４ｎのうち健全なものを現用に切り替え制御するメンテナンス制御部１１とを設けたため、予備用として設けた複数の送受信部４ｂ〜４ｎは、定常の使用状態における所定のタイミングで異常監視を予め行うことができるようになる。従って、現用の送受信部４ａの故障発生時には予め健全であると判定した送受信部４ｂ〜４ｎに切り替えることができるので、高い信頼性を維持しながら本装置を継続的に使用することができるようになる。
【００１９】
ここでは、予備用として設けた複数の送受信部４ｂ〜４ｎを備えた場合について説明したが、予備用として設けた一つの送受信部４ｂを有する場合でも、同様に適用することができ、予備用として設けた送受信部４ｂは、定常の使用状態における所定のタイミングで異常監視を予め行うことができるようになり、現用の送受信部４ａの故障発生時には予め健全であると判定した送受信部４ｂに切り替えることができるので、高い信頼性を維持しながら本装置を継続的に使用することができるようになる。
【００２０】
ところで、現用の送受信部４ａの異常監視は予備用の送受信部４ｂ〜４ｎとは異なる他の種々の方法で行うこともできるが、ここでは、上述した予備用の送受信部４ｂ〜４ｎにおける異常監視を利用して現用の送受信部４ａに対しても実施することができる。この場合、現用の送受信部４ａに対しては他の健全な予備の送受信部４ｂ〜４ｎの一つを現用に切り替えた後に、上述した予備の送受信部４ｂ〜４ｎと同じように実施しても良いし、また後述するように予備の送受信部４ｂ〜４ｎと同じタイミングまたは異なる独自のタイミングで実施しても良い。
【００２１】
ステップＳ１で現用の送受信部４ａに対して異常監視を行うタイミングになると、メンテナンス制御部１１は、ステップＳ３で現用の異常監視であることを判定し、処理データが検出されない状態であることを検出した後、信号切替手段８に監視開始信号を与えると共に、送受信部制御部９に制御信号を与える。監視開始信号を受けた信号切替手段８は、ステップＳ９で送受信部４ａとテスト信号生成部７とを接続し、制御信号を受けた送受信部制御部９は、ステップＳ１０で送受信部４ａ内にテスト伝送路を形成する。例えば、テスト信号生成部７を信号発生器とし、送受信部制御部９からの制御信号を受けて現用の送受信部４ａ内の送信系から受信系へ、受信系から送信系に信号を折り返すことができるテスト伝送路を形成する。また、テスト信号生成部７が生成するテスト信号を受信感度レベルに設定し、その後、ステップＳ１１でテスト信号生成部７からのテスト信号を送受信部４ａに対して送信する。このときに異常監視部１０は、ステップＳ１２で上述した予備の送受信部４ｂ〜４ｎの場合と同様にＢＥＲ測定を実施する。
【００２２】
異常監視部１０では、上述したＢＥＲ測定後のステップＳ１３で異常判定を行い、予め設定した閾値と測定したＢＥＲ値を比較し、その結果、閾値を下回っていたり、あるいは、テスト信号に対するＥｒｒｏｒ頻度が高い場合、異常監視を行った送受信部４ａの故障と判定する。この判定結果を受けたメンテナンス制御部１１は、ステップＳ１４で送受信部切替手段５を制御し、送受信部４ａをスタンバイ状態とすると共に、アクティブ状態にある健全な他の予備用の送受信部４ｂ〜４ｎが現用となるように切り替え接続する。
【００２３】
このようにして望ましい実施の形態による無線システムは、無線送受信部２に、現用または予備用として切り替え使用可能な複数の送受信部４ａ〜４ｎと、これらの送受信部４ａ〜４ｎを選択的に切り替え接続する送受信部切替手段５とを設け、各送受信部４ａ〜４ｎの異常監視を行うためのテスト信号を生成するテスト信号生成部７と、このテスト信号生成部７からのテスト信号を各送受信部４ａ〜４ｎに選択的に与えるよう切り替え可能な信号切替手段８と、テスト信号生成部７からのテスト信号を与えるときにテスト伝送路を形成するように現用の送受信部４ａを制御する送受信部制御部９と、テスト信号を用いて各送受信部４ａ〜４ｎの異常監視をそれぞれ行う異常監視部１０と、この異常監視部１０による異常監視タイミングを制御すると共に、異常監視の結果に基づいて送受信部切替手段５を切り替えて健全なものを現用とするように制御するメンテナンス制御部１１とを設けて構成している。
【００２４】
このような無線システムによれば、予備用として設けた複数の送受信部４ｂ〜４ｎは、定常の使用状態における所定のタイミングで、異常監視を予め行うことができるようになることは勿論、現用の送受信部４ａに対しても同様の異常監視部１０等を使用して異常監視を行うことができ、現用の送受信部４ａにおける異常発生を検出したときには、予め異常監視を行っている予備用の無線送受信部４ｂ〜４ｎのうちの健全なものを使用して切り替えることができる。従って、通常の運用を止めることなく異常監視を行うことができ、しかも、故障が発生したとしても無線システムの運用に悪影響を与えず予備の送受信部４ｂ〜４ｎで運用を継続させることができる。
【００２５】
詳細な図示を省略しているが、異常検出部１０によって送受信部４ａ〜４ｎのいずれかの異常が検出された場合、メンテナンス制御部１１などによって管理者にこれを通知するようにすると良い。この通知を受けた管理者は、故障した送受信部の交換作業を行うが、故障検出が行われた時点で、送受信部切替手段５が切り替えられて故障した送受信部を予備扱いにしているため、送受信部を修理または交換して装置内に再接続すると、装置は即座に通常の動作を再開することになる。また交換後の送受信部に対しても、同様の異常監視を行った後に現用として使用すれることになるから、信頼性の高い無線システムとすることができる。
【産業上の利用可能性】
【００２６】
本発明による無線送受信機は、図１に示した構成のものに限らず、その他の構成のものにも適用することができる。
【符号の説明】
【００２７】
１    アンテナ
２    無線送受信部
３    ベースバンド処理部
４ａ〜４ｎ    送受信部
５    送受信部切替手段
６    データ処理部
７    テスト信号生成部
８    信号切替手段
９    送受信部制御部
１０    異常監視部
１１    メンテナンス制御部
【図１】
2012114552.tif 000003
【図２】
2012114552.tif 000004